(57)【特許請求の範囲】
【請求項１】
電子部材の装着部に設けられる誤操作防止機構において、
前記装着部を開閉する蓋部材と、
前記蓋部材に設けられた回動形のロック解除レバーと、
電子部材が前記装着部に装着されたかどうかを制御回路に知らせるスイッチと、
前記スイッチを操作する駆動手段と、
前記駆動手段が前記スイッチを操作することを禁止するロック手段とを有し、
前記蓋部材が閉じた状態で、前記ロック手段は前記ロック解除レバーの先端と当接し、前記ロック解除レバーの回動にともない前記ロック手段は解除され、前記駆動手段が前記スイッチを操作することが可能となることを特徴とする誤操作防止機構。
【請求項２】
前記電子部材がバッテリであることを特徴とする請求項１に記載の誤操作防止機構。
【請求項３】
前記電子部材がメモリカードであることを特徴とする請求項１に記載の誤操作防止機構。
【発明の詳細な説明】
【０００１】
【発明の属する技術分野】
本発明は、バッテリ等の各種電子素子の着脱を行う装置の誤操作防止機構に関する。
【０００２】
【従来の技術】
コンピュータやワードプロセッサ等の電子機器は小型化、ハンディータイプ化し、戸外で使用する機会も多い。また、ＲＡＭ等の揮発性メモリに記憶したデータを保存する必要もあり、今日多くのハンディータイプの電子機器にバッテリを装着する機構が装備されている。また、ワードプロセッサやプリンタ装置では、各種文字フォントを記憶するメモリカードやエミュレーションカートリッジを差し替えて使用している。したがって、これらの装置にもメモリカードやカートリッジを着脱する機構が装備されている。
【０００３】
【発明が解決しようとする課題】
上記装置において、バッテリやメモリカード等の装着の有無を知ることは重要である。例えばバッテリを使用して装置を駆動する場合、バッテリを取り出すことは装置への電源供給を停止することであり、誤った操作を行えばデータを失い、プログラムを損傷することにもなる。また、メモリカードの場合にもカード内のフォントデータを失う危険性もある。
【０００４】
したがって、上記のようにバッテリやメモリカードの装着を行って装置の駆動を行う装置において、誤操作を防止することは何より重要である。
本発明は誤操作防止機構を設けることにより、バッテリ等の電子素子の着脱を確認し、装置への電源投入やデータの保護を行い、誤ってバッテリ等を着脱することのない誤操作防止機構を提供するものである。
【０００５】
【課題を解決するための手段】
上記課題は本発明によれば、電子部材の装着部に設けられる誤操作防止機構において、前記装着部を開閉する蓋部材と、前記蓋部材に設けられた回動形のロック解除レバーと、電子部材が前記装着部に装着されたかどうかを制御回路に知らせるスイッチと、前記スイッチを操作する駆動手段と、前記駆動手段が前記スイッチを操作することを禁止するロック手段とを有し、前記蓋部材が閉じた状態で、前記ロック手段は前記ロック解除レバーの先端と当接し、前記ロック解除レバーの回動にともない前記ロック手段は解除され、前記駆動手段が前記スイッチを操作することが可能となることを特徴とする誤操作防止機構を提供することにより達成できる。
【０００６】
このように構成することにより、電子部材をその装着部に着脱する際、蓋部材を閉じたままで、ロック解除レバーを回動してロック手段を解除した状態でなければ駆動手段がスイッチを操作することができず、そして、そのスイッチ操作に基づき電子部材の着脱を制御回路が認識できる。よって、電子部材を装着する時には、電子部材を装着して蓋部材を確実に閉じた後に駆動手段によりスイッチが操作されることで、電子部材の装着を制御回路が認識でき、一方、電子部材を取り出す時には、蓋部材を開く前に駆動手段によりスイッチが操作されることで、電子部材の取り出しを予め制御回路が認識できるので、電子部材の着脱を誤操作なしで確実に行える。
【００１３】
尚、前記電子部材は、例えばバッテリであり、又は例えばメモリカードである。
【００１４】
【発明の実施の形態】
以下、本発明を適用した一実施形態について図面を用いて説明する。
図１は、本発明の一実施形態を説明する誤操作防止機構の斜視図である。同図において、１は装置本体であり、例えばバッテリ駆動を行う携帯用無線機やラップトップパソコン等の装置（ハンディターミナル）本体である。但し、バッテリ装着部近傍の構成のみを示し、同図に示す構成はバッテリ挿入部２である。なお、図２は蓋を閉じた時の正面図であり、図３は平面図であり、図４は側面図である。
【００１５】
本実施形態の誤操作防止機構は、第１の機構である蓋部材３、ロック手段であるシャッタ４、第２の機構であるスイッチ駆動板５、検知手段であるスイッチ６で構成されている。蓋部材３は上述のバッテリ挿入部２の部分を覆う蓋として機能し、蓋部材３を閉める時には不図示の取手を持ち、同図に示す矢印▲１▼方向に閉じる。また、この蓋部材３のほぼ中央には回転形のロック解除部材７が配設されている。このロック解除部材７には係止部７ａが設けられ、軸７ｂを中心にロック解除部材７を矢印▲２▼、▲２▼’方向に回動することで係止部７ａの先端がシャッタ４に当接する構成である。
【００１６】
シャッタ４は軸４ａを中心に矢印▲３▼、▲３▼’方向に回動可能に構成され、その先端には鍵形のロック部４ｂが形成されている。また、上記ロック解除部材７の係止部７ａの先端は、このロック部４ｂに当接する構成であり、例えば係止部７ａを矢印▲２▼方向に回動すると、シャッタ４は矢印▲３▼方向に回動し、シャッタ４のロックを解除する構成である。
【００１７】
スイッチ駆動板５にはロックピン５ａ、及びスイッチ駆動レバー５ｂが立設され、不図示の位置に回転軸を有し、矢印▲４▼、▲４▼’方向に回動可能に構成されている。スイッチ駆動板５はシャッタ４がロック位置にある時、シャッタ４のロック部４ｂがロックピン５ａに当接し、矢印▲４▼方向に操作できない（移動できない）。
【００１８】
尚、スイッチ駆動板５が操作可能な時（ロックがはずれている時）、矢印▲４▼、▲４▼’方向に駆動でき、スイッチ駆動レバー５ｂの先端の駆動部５ｂ’がスイッチ６のノブ６’を矢印方向に駆動する構成である。
【００１９】
以上の構成の誤操作防止機構において、以下にその動作を説明する。
以下、バッテリを装着する場合とバッテリを取り出す場合に分けて説明する。先ず最初に、バッテリを装着する場合について説明する。但し、この場合、最初に図１に示すように蓋部材３は開放し、スイッチ駆動板５も図１に示す状態であるものとする。尚、この状態は図１にも示すように、スイッチ駆動板５のロックピン５ａがシャッタ４のロック部４ｂに当接し作動できない状態である。
【００２０】
先ず、バッテリ挿入部２からバッテリを装置本体に装着する。次に、蓋部材３を矢印▲１▼方向に回動し、バッテリ挿入部２を閉じる。その後、ロック解除部材７を矢印▲２▼方向に回動すると、係止部７ａがシャッタ４のロック部４ｂと当接し、シャッタ４を矢印▲３▼方向に回動してスイッチ駆動板５のロックを解除する。
【００２１】
次に、スイッチ駆動板５を矢印▲４▼方向に操作するとシャッタ４のロックが解除している為、ロックピン５ａはロック部４ｂに当接することなく、スイッチ駆動板５を矢印▲４▼方向に移動してスイッチ６をオンし、オン信号を不図示の制御回路に出力する。制御回路はこのオン信号により、バッテリが装置に装着されたことを知る。
【００２２】
以上のように操作することにより、バッテリは装置本体に装着され、バッテリ装着後必ずスイッチ６のオン信号が出力され、制御回路はこの操作信号によりバッテリの装着を知ることができる。
【００２３】
したがって、例えば蓋部材３を閉じない状態でスイッチ駆動板５を操作しても、矢印▲４▼方向にスイッチ駆動板５を操作できない。すなわち、スイッチ駆動板５を操作してもロックピン５ａがロック部４ｂに当接し、矢印▲４▼方向に操作できない。
したがって、蓋部材３を閉めない限りスイッチ駆動板５を操作できず、結局スイッチ６がオン信号を出力せず、装置は動作しない。
【００２４】
尚、バッテリを装着しないで蓋部材３を閉じ、スイッチ駆動板５を操作してもスイッチ６はオンするが、バッテリからスイッチ６に電源が供給されない為、この場合にも装置は動作しない。
【００２５】
次に、装置に装着されたバッテリを取り出す操作について説明する。この場合、、先ず、スイッチ駆動板５を矢印▲４▼’方向に引き、スイッチ６をオフする。この処理により、スイッチ６からオフ信号が制御回路に出力され、制御回路はバッテリの取り出しが以後行われることを知る。したがって、制御回路はこの信号により、バッテリが取り出された場合でデータを安全に保持することができる。例えば、オフ信号が入力すると、制御回路はＲＡＭ等に記憶しているデータやプログラムを待避させ、バッテリが取り出された場合に備える。このような処理は、スイッチ６からオフ信号が出力された後、バッテリが実際に引き抜かれるまで一定の時間が有り、この間に制御回路がデータの保全処理を行うことは充分可能である。
【００２６】
したがって、その後、蓋部材３を開放しバッテリを抜き取った時でも、上記のように処理することでデータは安全に保持されており、データを失い、プログラムを損傷することはない。
【００２７】
【発明の効果】
本発明によれば、バッテリやメモリカード等を装置に装着する際、ロックを解除した後でなければ装着できないので、誤操作を確実に回避できる。
【００２８】
また、装置からバッテリやメモリカード等を取り出す際、予め取り出し処理が分かるのでデータ等を安全に待避することができる。
【図面の簡単な説明】
【図１】一実施形態を説明する誤操作防止機構の斜視図である。
【図２】一実施形態の誤操作防止機構の正面図である。
【図３】一実施形態の誤操作防止機構の平面図である。
【図４】一実施形態の誤操作防止機構の側面図である。
【符号の説明】
１  装置本体
２  バッテリ挿入部
３  蓋部材
４  シャッタ
４ａ  軸
４ｂ  ロック部
５  スイッチ駆動板
５ａ  ロックピン
５ｂ  スイッチ駆動レバー
５ｂ’  駆動部
６  スイッチ
７  ロック解除部材
７ａ  係止部７ａ
７ｂ  軸
【図１】
0003647516.tif 000002
【図２】
0003647516.tif 000003
【図３】
0003647516.tif 000004
【図４】
0003647516.tif 000005